(57)【要約】      （修正有）【課題】端子台の端子接続部に接続した接続線を９０°以上の大きな折曲角度で無理なく折り曲げて、基台の長手方向に沿わせた状態で伸ばすことができるようにする。【解決手段】ネジ締め２段端子台１は、基台２に設けた上，下の２段の段面５，６にそれぞれ複数の端子接続部７を設け、これら各段面の端子接続部間を絶縁壁２１，２２で仕切っている。上段面の絶縁壁２１で、接続線１２１の端子１２２の挿入方向を、基台２の長手方向に対して鋭角を成す傾斜角度θ４に位置決めし、下段面の絶縁壁２２で、上記上段面の絶縁壁２１の傾斜角度よりも小さな傾斜角度θ５に位置決めした。【選択図】図７
2009048774.tif 000002
【特許請求の範囲】
【請求項１】
基台に設けた上，下の２段の段面にそれぞれ複数の端子接続部を設けて、これら各段面の複数の端子接続部間を絶縁壁で仕切ったネジ締め２段端子台において、
上記上段面の絶縁壁は、接続線の端子の挿入方向を端子台の長手方向に対して鋭角を成す傾斜角度に位置決めし、上記下段面の絶縁壁は、上記上段面の絶縁壁の傾斜角度と異なる傾斜角度に位置決めしていることを特徴とするネジ締め２段端子台。
【請求項２】
上記下段面の端子接続部は、上記上段面の端子接続部に接続した接続線に対して非重合位置に配置されていることを特徴とする請求項１に記載のネジ締め２段端子台。
【請求項３】
上記上段面の絶縁壁と上記下段面の絶縁壁は、互いに分離されていることを特徴とする請求項１又は請求項２に記載のネジ締め２段端子台。
【発明の詳細な説明】
【技術分野】
【０００１】
本発明は、電気機器、電気制御盤、電気制御装置（プログラマブルコントローラ）等に用いられるネジ締め２段端子台に関するものである。
【背景技術】
【０００２】
ネジ締め２段端子台は、プログラマブルコントローラの入，出力モジュールやＡ／Ｄ又はＤ／Ａ変換ユニット等には、と外部機器との接続にネジ締め２段端子台が用いられている。
【０００３】
図１０に示すように、ネジ締め２段端子台１０１として、基台１０２に設けた上，下の２段の段面１０３，１０４にそれぞれ複数の端子接続部１０５，１０６を設けて、上段面１０３の端子接続部１０５，１０５間を絶縁壁１０７で仕切り、下段面１０４の端子接続部１０６，１０間を絶縁壁１０８で仕切ったものが広く用いられている。
【０００４】
上記端子接続部１０５，１０６は、端子金具１１１と、該端子金具１１１に螺合された端子ネジ１１２と、で構成されていて、上記端子金具１１１と端子ネジ１１２の頭部との間で、接続線１２１の端子１２２を挟んで接続線１２１を接続する。
【０００５】
上記従来のネジ締め２段端子台１０１において、上記絶縁壁１０７，１０８は、基台１０２の長手方向に対して直角に形成されていて、接続線１２１の端子１２２を、基台１０２の直角方向から絶縁壁１０７，１０７間あるいは絶縁壁１０８，１０８間に挿入して接続する。
【０００６】
従って、上述のように、接続線１２１の端子１２２を基台１０２の直角方向から絶縁壁１０７，１０７間あるいは絶縁壁１０８，１０８間に挿入して接続した場合において、接続線１２１を基台１０２の長手方向に沿わせた状態に折り曲げるためには、接続線１２１の折曲角度θ１を略９０°即ち直角に折り曲げなければならなかった。接続線１２１を折り曲げる場合に、折曲角度が小さければ小さい程、折り曲げ作業が大変になり、また、接続線１２１に無理な歪み応力が掛かる。また、基台１０２に近い位置で接続線１２１を折り曲げるのが困難で、折曲部が上記端子接続部から離れてしまうために接続線１２１の配置スペースＳを広く取らなければならないという問題点があった。
上述の端子台に対して、図１１に示すように、上段面１０３の絶縁壁１０７を基台１０２に対して直角に形成し、下段面１０４の絶縁壁１０８を基台１０２の長手方向に倒して所定の傾斜角度θ２、例えば７０°に傾斜させた端子台（例えば、特許文献１参照）或いは、図１２に示すように、上段面の絶縁壁１０７と下段面の絶縁壁１０８の双方を異なる角度に傾斜させと共に、上記上段の絶縁壁１０７と下段の絶縁壁１０８を連続させて一体化した端子台（例えば、特許文献２参照）が開発されている。
【特許文献１】特開２００１−１５１８９号公報
【特許文献２】特開２００２−３２９５３３号公報
【発明の開示】
【発明が解決しようとする課題】
【０００７】
特許文献１の端子台は、下段面の絶縁壁１０８を傾斜させたので、下段面の端子接続部１０５に接続した接続線１２１は、図１１に示すように、直角よりも大きな折曲角度θ３で折り曲げて、基台１０２の長手方向に沿わせた状態で伸ばすことができるが、上段の端子接続部１０６に接続した接続線１２１は、依然として略直角に折り曲げて基台１０２の長手方向に沿わせた状態で伸ばさなければならない。
【０００８】
また、特許文献２の端子台は、上段の絶縁壁１０７と下段の絶縁壁１０８の双方を傾斜させているが、図１２に示すように、上段の端子接続部１０５に接続する接続線１２１は、基台１０２の直角方向から絶縁壁１０７，１０７間に挿入して端子接続部１０６に接続しているため、接続線１２１を略直角に折り曲げて基台１０２の長手方向に沿わせた状態で伸ばさなければならないという問題点があった。
【０００９】
本願発明の目的は、端子台の端子接続部に接続した接続線を９０°以上の大きな折曲角度で無理なく折り曲げて、基台の長手方向に沿わせた状態で伸ばすことのできる端子台を提供することにある。
【課題を解決するための手段】
【００１０】
請求項１の発明は、基台に設けた上，下の２段の段面にそれぞれ複数の端子接続部を設けて、これら各段面の複数の端子接続部間を絶縁壁で仕切ったネジ締め２段端子台において、上段面の絶縁壁で、接続線の端子の挿入方向を基台の長手方向に対して鋭角を成す傾斜角度に位置決めし、下段面の絶縁壁で、上記上段面の絶縁壁の傾斜角度よりも小さな傾斜角度に位置決めした。
【００１１】
請求項２の発明は、請求項１のネジ締め２段端子台において、上記下段面の端子接続部を、上記上段面の端子接続部に接続した接続線に対して非重合位置に配置した。
【００１２】
請求項３の発明は、請求項１のネジ締め２段端子台において、上記上段面の絶縁壁と上記下段面の絶縁壁を、互いに分離した。
【発明の効果】
【００１３】
（１）請求項１のネジ締め２段端子台は、上段面の絶縁壁間に接続線の端子を挿入して端子接続部に接続すれば、該接続線は、上記絶縁壁間に挟まれて基台の長手方向に対して鋭角を成す傾斜角度に位置決めされる。また、下段面の絶縁壁間に接続線の端子を挿入して端子接続部に接続すれば、該接続線は、上記絶縁壁間に挟まれて、上記上段面の端子接続部にされた接続線よりも小さな傾斜角度で位置決めされる。従って、上段面の端子接続部にされた接続線および下段面の端子接続部にされた接続線の双方の折曲角度を９０°よりも大きな鈍角、例えば１２０°等の角度で折り曲げて、基台の長手方向に沿わせた状態にすることが可能になる。
（２）請求項２のネジ締め２段端子台は、下段面の端子接続部に接続線を接続した後、上段面の端子接続部に接続線を接続した場合に、上記下段面の端子接続部および該下段面の端子接続部に接続した接続線は、上記上段面の端子接続部に接続線の下に隠れることなく、上段面の端子接続部に接続した接続線の側方に露出した状態になるので、下段面の端子接続部および該端子接続部に接続した接続線の保守、点検等を容易に行うことができる。
（３）請求項３のネジ締め２段端子台は、上段面の絶縁壁と下段面の絶縁壁を分離して、上段面の絶縁壁が下段面の絶縁壁間に位置するようにしたので、特許文献２の端子台のように上段面の絶縁壁と下段面の絶縁壁を一体化して連続させるものに比べて製造が容易になる。
【発明を実施するための最良の形態】
【００１４】
図１はネジ締め２段端子台１の斜視図、図２は基台の平面図、図３は基台の正面図、図４は基台の左側面、図５は基台の右側面、図６は図２のＡ−Ａ断面図、図７は要部の拡大図、図８，図９は使用方法の一例を示す説明図である。
【００１５】
図１に示すように、ネジ締め２段端子台１は、基台２と、該基台２に回動可能に取り付けられた蓋体３と、を備えている。基台２は、上，下の２段の段面４，５を備えていて、上方の段面（以下、上段面と称する）４には、基台２の長手方向に沿って複数の端子接続部６が列設されていると共に、下方の段面（以下、下段面と称する）５には、基台２の長手方向に沿って複数の端子接続部７が列設されている。
【００１６】
図６に示すように、上記端子接続部６，７は、端子金具８と、該端子金具８にナット９を介して螺合された端子ネジ１０と、で構成されている。上記端子接続部６，７は、上記端子金具８と端子ネジ１０の頭部１０ａとの間にワッシャ１１等を介して、接続線１２１の端子１２２を挟んで接続線１２１を接続する。１２，１３は、コンタクトである。また、図１において、１４は取付ネジである。
【００１７】
図１に示すように、上段面４の端子接続部６相互間は絶縁壁２１で仕切られ、下段面５の端子接続部７相互間は絶縁壁２２で仕切られた状態になっている。換言すれば、上段面４の端子接続部６は、基台２の長手方向の左右側方を一対の絶縁壁２１，２１で挟まれ、下段面５の端子接続部７は、基台２の長手方向の左右側方を一対の絶縁壁２２，２２で挟まれた状態になっている。
【００１８】
図７に示すように、上記一対の絶縁壁２１，２１は、端子接続部６に接続した接続線１２１の端子１２２を挟んで、該接続線１２１を位置決めする。また、上記一対の絶縁壁２２，２２は、端子接続部７に接続した接続線１２１の端子１２２を挟んで、該接続線１２１を位置決めする。
【００１９】
上段面４の絶縁壁２１とこれに隣接する絶縁壁２１との間隔Ｄ１と、下段面５の絶縁壁２２とこれに隣接する絶縁壁２２との間隔Ｄ２と、は略同じ間隔に形成されている。また、上段面４の絶縁壁２１は，端子台２の長手方向に対して鋭角を成す傾斜角度θ４に形成され、下段面５の絶縁壁２２は、上段面４の絶縁壁２１の傾斜角度よりも小さな傾斜角度θ５に形成されている。また、上段面４の絶縁壁２１は、下段面５の絶縁壁２２，２２間に位置するように、所謂互い違い状に配置されている。
【００２０】
次に、上記ネジ締め２段端子台１の作用法について説明する。先ず、図８に示すように、
下段面５の絶縁壁２２の傾斜角度θ５に沿った位置から接続線１２１を一対の絶縁壁２２，２２間に挿入して、接続線１２１の端子１２２を下段面の端子接続部７に接続する。
【００２１】
上記下段面の端子接続部７に接続された接続線１２１は、端子１２２を上記一対の絶縁壁１２，１２で挟着されて位置決めされる。上記下段面の端子接続部７に接続された接続線１２１，１２１は、基台２の一側面の近傍で、図８に２点鎖線で示すように、上記基台２の一側面の沿うように折り曲げられて束ねられる。
【００２２】
上述したように、下段面の端子接続部７に接続線１２１を接続した後に、上段面４の絶縁壁２１の傾斜角度θ４の方向から接続線１２１を一対の絶縁壁２１，２１間に挿入して、接続線１２１の端子１２２を上段面の端子接続部６に接続する。
【００２３】
上記上段面の端子接続部６に接続された接続線１２１は、端子１２２を上記一対の絶縁壁２１，２１で挟着されて位置決めされる。上記上段面の端子接続部６に接続された接続線１２１，１２１は、上記下段面の端子接続部７に接続された接続線１２１と同様に、基台２の一側面の近傍で、該基台２の一側面の沿うように折り曲げられて束ねられる。
【００２４】
上記絶縁壁２１，２１、２２，２２の傾斜角度θ４，θ５は、鋭角に形成されているので、上記端子接続部６に接続された接続線１２１を上記基台２の一側面の沿うように折り曲げる場合の接続線１２１の折曲角度θ６は、鈍角となる。例えば、上記上段面４の絶縁壁２１の傾斜角度θ４を例えば８０°とすると、折曲角度θ６は、１８０°−８０°＝１００°となる。また、上記下段面５の絶縁壁２２の傾斜角度θ５を例えば７０°とすると、接続線１２１の折曲角度θ６は、１８０°−７０°＝１１０°となり、上記従来の折曲角度θ３を９０°に折り曲げる場合よりも折曲角度が大きいために折曲作業が楽になり、また、接続線１２１に発生する歪みも少なくなる。
【００２５】
また、上段面４の絶縁壁２１と下段面５の絶縁壁２２の傾斜角度を変え、かつ上段面４の絶縁壁２１と下段面５の絶縁壁２２を互い違い状に配置したので、図７に示すように、下段面の端子接続部７は、上段面の端子接続部６に接続した接続線１２１の蔭に隠れることなく、該接続線１２１の側方に露出した状態になるので、下段面の端子接続部および該端子接続部に接続した接続線の保守、点検等を容易に行うことができる。
【図面の簡単な説明】
【００２６】
【図１】ネジ締め２段端子台の斜視図。
【図２】基台の平面図。
【図３】基台の正面図。
【図４】基台の左側面。
【図５】基台の右側面。
【図６】図２のＡ−Ａ断面図。
【図７】要部の拡大図。
【図８】下段面の端子接続部に接続線を接続する状態を示す説明図。
【図９】上段面の端子接続部に接続線を接続する状態を示す説明図。
【図１０】従来例の説明図。
【図１１】他の従来例の説明図。
【図１２】他の従来例の説明図。
【符号の説明】
【００２７】
１…ネジ締め２段端子台
２…基台
３…蓋体３
４…上段面
５…下段面
６…上段面の端子接続部
７…下段面の端子接続部
８…端子金具
９…ナット
１０…端子ネジ
１１…ワッシャ
２１…上段面の絶縁壁
２２…下段面の絶縁壁
１２１…絶縁線
１２２…端子
【図１】
2009048774.tif 000003
【図２】
2009048774.tif 000004
【図３】
2009048774.tif 000005
【図４】
2009048774.tif 000006
【図５】
2009048774.tif 000007
【図６】
2009048774.tif 000008
【図７】
2009048774.tif 000009
【図８】
2009048774.tif 000010
【図９】
2009048774.tif 000011
【図１０】
2009048774.tif 000012
【図１１】
2009048774.tif 000013
【図１２】
2009048774.tif 000014